(57)【要約】【課題】予め通信線に策を講じなくても迷走電流を制御できる迷走電流制御装置等を提供する。【解決手段】シールド線３２を流れる迷走電流の電流値を測定する電流計を取り付ける。グラウンド端子４１とグラウンド端子６１との間の電圧を測定し、可変直流電源１０２の電圧を測定した電圧に等しくする。直列回路１０１をグラウンド端子４１とグラウンド端子６１との間に接続し、可変抵抗１０３の抵抗値を０にする。迷走電流が小さくなるように可変直流電源１０２の電圧を変化させる。通信線３を第１通信装置１と第２通信装置２とから切り離す。可変抵抗１０３の抵抗値を１０ｋΩ以上とする。可変直流電源１０２からの電圧出力を停止させる。直列回路１０１を取り外す。【選択図】図１
2013105833.tif 000002
【特許請求の範囲】
【請求項１】
第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御装置であって、
前記第１回路のグラウンド節点に対し１以上の導体からなる第１導体群を介して第１直流電源のグラウンド節点が接続されており、
前記第１回路の電源入力節点に対し１以上の導体からなる第２導体群を介して前記第１直流電源の出力節点が接続されており、
前記第２回路のグラウンド節点に対し１以上の導体からなる第３導体群を介して第２直流電源のグラウンド節点が接続されており、
前記第２回路の電源入力節点に対し１以上の導体からなる第４導体群を介して前記第２直流電源の出力節点が接続されており、
前記第１直流電源のグラウンド節点が１以上の導体を介して前記第２直流電源のグラウンド節点に接続されており、
前記迷走電流制御装置は、
前記第１導体群の中の露出された又は露出可能な１導体と前記第３導体群の中の露出された又は露出可能な１導体との間に接続される直列回路を備え、
前記直列回路は、電圧を可変可能な可変直流電源の出力回路と可変抵抗とを直列接続したものである
ことを特徴とする迷走電流制御装置。
【請求項２】
前記第１導体群の中の前記１導体は、第１直流分電盤のグラウンド端子であり、
前記第１直流分電盤の電源端子は、前記第２導体群に含まれ、
前記第３導体群の中の前記１導体は、第２直流分電盤のグラウンド端子であり、
前記第２直流分電盤の電源端子は、前記第４導体群に含まれる
ことを特徴とする請求項１記載の迷走電流制御装置。
【請求項３】
前記第１導体群の中の前記１導体は、前記第１回路のグラウンド節点に接続された、前記第１通信装置のグラウンド端子であり、
前記第３導体群の中の前記１導体は、前記第２回路のグラウンド節点に接続された、前記第２通信装置のグラウンド端子である
ことを特徴とする請求項１記載の迷走電流制御装置。
【請求項４】
第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御装置であって、
前記第１回路のグラウンド節点に対し１以上の導体からなる第１導体群を介して第１直流電源のグラウンド節点が接続されており、
前記第１回路の電源入力節点に対し１以上の導体からなる第２導体群を介して前記第１直流電源の出力節点が接続されており、
前記第２回路のグラウンド節点に対し１以上の導体からなる第３導体群を介して第２直流電源のグラウンド節点が接続されており、
前記第２回路の電源入力節点に対し１以上の導体からなる第４導体群を介して前記第２直流電源の出力節点が接続されており、
前記第１直流電源のグラウンド節点が１以上の導体を介して前記第２直流電源のグラウンド節点に接続されており、
前記迷走電流制御装置は、
前記第１導体群の中の露出された又は露出可能な１導体と前記第２導体群の中の露出された又は露出可能な１導体との間に接続される可変抵抗
を備えることを特徴とする迷走電流制御装置。
【請求項５】
前記第１導体群の中の前記１導体は、直流分電盤のグラウンド端子であり、
前記第２導体群の中の前記１導体は、前記直流分電盤の電源端子である
ことを特徴とする請求項４記載の迷走電流制御装置。
【請求項６】
前記第１導体群の中の前記１導体は、前記第１回路のグラウンド節点に接続された、前記第１通信装置のグラウンド端子であり、
前記第２導体群の中の前記１導体は、前記第１回路の電源入力節点に接続された、前記第１通信装置の電源入力端子である
ことを特徴とする請求項４記載の迷走電流制御装置。
【請求項７】
第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御方法であって、
前記第１回路のグラウンド節点に対し１以上の導体からなる第１導体群を介して第１直流電源のグラウンド節点が接続されており、
前記第１回路の電源入力節点に対し１以上の導体からなる第２導体群を介して前記第１直流電源の出力節点が接続されており、
前記第２回路のグラウンド節点に対し１以上の導体からなる第３導体群を介して第２直流電源のグラウンド節点が接続されており、
前記第２回路の電源入力節点に対し１以上の導体からなる第４導体群を介して前記第２直流電源の出力節点が接続されており、
前記第１直流電源のグラウンド節点が１以上の導体を介して前記第２直流電源のグラウンド節点に接続されており、
前記迷走電流制御方法は、
前記迷走電流を測定する電流計を前記シールド線に取り付ける第１工程と、
前記第１導体群の中の露出された１導体と前記第３導体群の中の露出された１導体との間の電圧を測定する第２工程と、
電圧を可変可能な可変直流電源と可変抵抗とを直列接続した直列回路の当該可変直流電源から電圧を出力させ当該電圧を前記第２工程で測定した電圧に等しくする第３工程と、
前記直列回路を前記第１導体群の中の前記１導体と前記第３導体群の中の前記１導体との間に接続する第４工程と、
前記可変抵抗の抵抗値を小さくする第５工程と、
前記電流計により示される電流値が小さくなるように前記可変直流電源の電圧を変化させる第６工程と、
前記通信線を前記第１通信装置と前記第２通信装置とから切り離す第７工程と、
前記可変抵抗の抵抗値を大きくする第８工程と、
前記可変直流電源からの電圧出力を停止させる第９工程と、
前記直列回路を取り外す第１０工程と
を含むことを特徴とする迷走電流制御方法。
【請求項８】
第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御方法であって、
前記第１回路のグラウンド節点に対し１以上の導体からなる第１導体群を介して第１直流電源のグラウンド節点が接続されており、
前記第１回路の電源入力節点に対し１以上の導体からなる第２導体群を介して前記第１直流電源の出力節点が接続されており、
前記第２回路のグラウンド節点に対し１以上の導体からなる第３導体群を介して第２直流電源のグラウンド節点が接続されており、
前記第２回路の電源入力節点に対し１以上の導体からなる第４導体群を介して前記第２直流電源の出力節点が接続されており、
前記第１直流電源のグラウンド節点が１以上の導体を介して前記第２直流電源のグラウンド節点に接続されており、
前記迷走電流制御方法は、
前記迷走電流を測定する電流計を前記シールド線に取り付ける第１工程と、
前記第１導体群の中の露出された１導体と前記第２導体群の中の露出された１導体との間に可変抵抗を接続する第２工程と、
前記電流計により示される電流値が小さくなるように前記可変抵抗の抵抗値を変化させる第３工程と、
前記通信線を前記第１通信装置と前記第２通信装置とから切り離す第４工程と、
前記可変抵抗の抵抗値を大きくする第５工程と、
前記可変抵抗を取り外す第６工程と
を含むことを特徴とする迷走電流制御方法。
【発明の詳細な説明】
【技術分野】
【０００１】
本発明は、迷走電流制御装置および迷走電流制御方法に関するものである。
【背景技術】
【０００２】
通信システムへの給電においては、給電線の一方（＋導体もしくは−導体）を接地する直流給電方式が一般的に用いられている。このような給電方式の場合、通信装置間を接続する通信線として同軸ケーブルやシールド付通信線を利用すると、その接地層やシールド層が装置のフレームグラウンド（ＦＧ）に接続されるため、給電電流によって通信装置間に発生する電位差により給電電流の一部が通信線に流れることがある。この電流を迷走電流という。迷走電流が流れている通信線を挿抜するとコネクタ部でシャワリングアーク放電が発生し、そのノイズにより通信装置が故障したり、通信信号が劣化したりするなどの影響を受けることがある。さらに迷走電流がある一定量を超えた場合、同軸ケーブルやシールド付通信線を流れる通信信号に影響を与えたり、信号回路に直接影響を与えたりし、通信障害を引き起こすこともある。
【０００３】
図７は、迷走電流の発生メカニズムを示す図である。
【０００４】
第１通信装置１と第２通信装置２が通信線３（同軸ケーブルやシールド付通信線）で相互に接続されているような設備形態において、第１通信装置１への給電経路は、本来の給電経路である１１ａの経路すなわち、第１直流電源５→第１直流分電盤４→第１通信装置１→第１直流分電盤４→第１直流電源５があるが、その他に１１ｂの経路すなわち、第１直流電源５→接地端子８→接地母線Ｇ→接地端子９→第２直流電源７→第２直流分電盤６→第２通信装置２→通信線３→第１通信装置１→第１直流分電盤４→第１直流電源５が存在し、給電電流は２つの経路に流れることになる。第２通信装置２への給電経路も同様に１２ａと１２ｂの2つの経路が存在する。このとき通信線３を流れる給電電流１１ｂ、１２ｂの電流値は、第１通信装置１と第２通信装置２の消費電流や給電線の線径および長さにより決定されるが、一般的に同一にはならない。この差が迷走電流として通信線３（および接地線）に流れることになる。
【０００５】
直流給電系の設備構成上、上記の理由により通信線を流れる迷走電流は避けられない。しかし、通信システムの更改や増設等で通信線の挿抜の作業が発生することは多く、その際迷走電流により発生するノイズによる通信システムへの影響を無くすことが必要である。
【０００６】
このような迷走電流が流れている通信システムから安全にかつノイズを発生させずに通信線を抜去する方法は、特許文献１、２、３に示されている。いずれの方法も、あらかじめ電流を制限する素子を信号線に並列に実装した上で、通信線の抜去の際、いったん電流制限抵抗を介した経路が構成されるようにして、急激な電流変化の発生を防止することで、ノイズ発生や突入電流を制限している。しかし、上記の方法は事前に電流制限用素子をコネクタ内部や回路基板に実装しておかねばならず、すでに稼働している設備に対して活用できない。また、通信線の抜去時に電流制限抵抗を後から接続することは、コネクタ形状から困難である。
【先行技術文献】
【特許文献】
【０００７】
【特許文献１】特許第１２８１６９５号公報
【特許文献２】特開平１−２３７７８３号公報
【特許文献３】特開平５−３６４５５号公報
【発明の概要】
【発明が解決しようとする課題】
【０００８】
上述したように、直流給電を行う通信システムの装置間通信線には、給電電流の一部が流れており、そのような状態で、設備の更改や増設時に通信線の挿抜を行うと、コネクタ部で発生するシャワリングアーク放電によるノイズが、給電線を介して他の装置に流入し、設備故障、システムダウン、信号の擾乱などを発生することがある。これらの故障の発生を防止するためには、通信線の挿抜を行う装置の給電を停止することで対応可能であるがが、装置の一部の更改、増設の場合、通信サービスの提供を停止できないことから、装置稼働状態で実施しなければならない。そのため、装置への影響の発生を想定して、通信量が少なくなる深夜に作業を行うことで、通信サービスへの影響を最小限に抑えている。ノイズの発生を防止する方法としては、１ｋΩ程度の抵抗を接続した状態で通信線を挿抜する方法があるが、コネクタ部に後付けで抵抗を設置することは困難であり、コネクタ内部に予め抵抗を設置する以外は実施できない問題がある。
【０００９】
本発明は、上記の課題に鑑みてなされたものであり、その目的とするところは、予め通信線に策を講じなくても迷走電流を制御できる迷走電流制御装置および迷走電流制御方法を提供することにある。
【課題を解決するための手段】
【００１０】
上記の課題を解決するために、第１の本発明は、第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御装置であって、前記第１回路のグラウンド節点に対し１以上の導体からなる第１導体群を介して第１直流電源のグラウンド節点が接続されており、前記第１回路の電源入力節点に対し１以上の導体からなる第２導体群を介して前記第１直流電源の出力節点が接続されており、前記第２回路のグラウンド節点に対し１以上の導体からなる第３導体群を介して第２直流電源のグラウンド節点が接続されており、前記第２回路の電源入力節点に対し１以上の導体からなる第４導体群を介して前記第２直流電源の出力節点が接続されており、前記第１直流電源のグラウンド節点が１以上の導体を介して前記第２直流電源のグラウンド節点に接続されており、前記迷走電流制御装置は、前記第１導体群の中の露出された又は露出可能な１導体と前記第３導体群の中の露出された又は露出可能な１導体との間に接続される直列回路を備え、前記直列回路は、電圧を可変可能な可変直流電源の出力回路と可変抵抗とを直列接続したものであることを特徴とする迷走電流制御装置をもって解決手段とする。
【００１１】
例えば、前記第１導体群の中の前記１導体は、第１直流分電盤のグラウンド端子であり、前記第１直流分電盤の電源端子は、前記第２導体群に含まれ、前記第３導体群の中の前記１導体は、第２直流分電盤のグラウンド端子であり、前記第２直流分電盤の電源端子は、前記第４導体群に含まれる。
【００１２】
例えば、前記第１導体群の中の前記１導体は、前記第１回路のグラウンド節点に接続された、前記第１通信装置のグラウンド端子であり、前記第３導体群の中の前記１導体は、前記第２回路のグラウンド節点に接続された、前記第２通信装置のグラウンド端子である。
【００１３】
第２の本発明は、第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御装置であって、前記第１回路のグラウンド節点に対し１以上の導体からなる第１導体群を介して第１直流電源のグラウンド節点が接続されており、前記第１回路の電源入力節点に対し１以上の導体からなる第２導体群を介して前記第１直流電源の出力節点が接続されており、前記第２回路のグラウンド節点に対し１以上の導体からなる第３導体群を介して第２直流電源のグラウンド節点が接続されており、前記第２回路の電源入力節点に対し１以上の導体からなる第４導体群を介して前記第２直流電源の出力節点が接続されており、前記第１直流電源のグラウンド節点が１以上の導体を介して前記第２直流電源のグラウンド節点に接続されており、前記迷走電流制御装置は、前記第１導体群の中の露出された又は露出可能な１導体と前記第２導体群の中の露出された又は露出可能な１導体との間に接続される可変抵抗を備えることを特徴とする迷走電流制御装置をもって解決手段とする。
【００１４】
例えば、前記第１導体群の中の前記１導体は、直流分電盤のグラウンド端子であり、前記第２導体群の中の前記１導体は、前記直流分電盤の電源端子である。
【００１５】
例えば、前記第１導体群の中の前記１導体は、前記第１回路のグラウンド節点に接続された、前記第１通信装置のグラウンド端子であり、前記第２導体群の中の前記１導体は、前記第１回路の電源入力節点に接続された、前記第１通信装置の電源入力端子である。
【００１６】
第３の本発明は、第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御方法であって、前記第１回路のグラウンド節点に対し１以上の導体からなる第１導体群を介して第１直流電源のグラウンド節点が接続されており、前記第１回路の電源入力節点に対し１以上の導体からなる第２導体群を介して前記第１直流電源の出力節点が接続されており、前記第２回路のグラウンド節点に対し１以上の導体からなる第３導体群を介して第２直流電源のグラウンド節点が接続されており、前記第２回路の電源入力節点に対し１以上の導体からなる第４導体群を介して前記第２直流電源の出力節点が接続されており、前記第１直流電源のグラウンド節点が１以上の導体を介して前記第２直流電源のグラウンド節点に接続されており、前記迷走電流制御方法は、前記迷走電流を測定する電流計を前記シールド線に取り付ける第１工程と、前記第１導体群の中の露出された１導体と前記第３導体群の中の露出された１導体との間の電圧を測定する第２工程と、電圧を可変可能な可変直流電源と可変抵抗とを直列接続した直列回路の当該可変直流電源から電圧を出力させ当該電圧を前記第２工程で測定した電圧に等しくする第３工程と、前記直列回路を前記第１導体群の中の前記１導体と前記第３導体群の中の前記１導体との間に接続する第４工程と、前記可変抵抗の抵抗値を小さくする第５工程と、前記電流計により示される電流値が小さくなるように前記可変直流電源の電圧を変化させる第６工程と、前記通信線を前記第１通信装置と前記第２通信装置とから切り離す第７工程と、前記可変抵抗の抵抗値を大きくする第８工程と、前記可変直流電源からの電圧出力を停止させる第９工程と、前記直列回路を取り外す第１０工程とを含むことを特徴とする迷走電流制御方法をもって解決手段とする。
【００１７】
第４の本発明は、第１通信装置に含まれる第１回路と第２通信装置に含まれる第２回路との間に接続された信号線と前記第１回路のグラウンド節点と前記第２回路のグラウンド節点とを導通させるように設けられたシールド線とを有する通信線が前記第１通信装置と前記第２通信装置との間に設けられているときの当該シールド線を流れる迷走電流を低減させるための迷走電流制御方法であって、前記第１回路のグラウンド節点に対し１以上の導体からなる第１導体群を介して第１直流電源のグラウンド節点が接続されており、前記第１回路の電源入力節点に対し１以上の導体からなる第２導体群を介して前記第１直流電源の出力節点が接続されており、前記第２回路のグラウンド節点に対し１以上の導体からなる第３導体群を介して第２直流電源のグラウンド節点が接続されており、前記第２回路の電源入力節点に対し１以上の導体からなる第４導体群を介して前記第２直流電源の出力節点が接続されており、前記第１直流電源のグラウンド節点が１以上の導体を介して前記第２直流電源のグラウンド節点に接続されており、前記迷走電流制御方法は、前記迷走電流を測定する電流計を前記シールド線に取り付ける第１工程と、前記第１導体群の中の露出された１導体と前記第２導体群の中の露出された１導体との間に可変抵抗を接続する第２工程と、前記電流計により示される電流値が小さくなるように前記可変抵抗の抵抗値を変化させる第３工程と、前記通信線を前記第１通信装置と前記第２通信装置とから切り離す第４工程と、前記可変抵抗の抵抗値を大きくする第５工程と、前記可変抵抗を取り外す第６工程とを含むことを特徴とする迷走電流制御方法をもって解決手段とする。
【発明の効果】
【００１８】
本発明によれば、予め通信線に策を講じなくても迷走電流を制御することができる。
【図面の簡単な説明】
【００１９】
【図１】第１実施の形態に係る迷走電流制御装置を設けた通信システムを示す図である。
【図２】第２実施の形態に係る迷走電流制御装置を設けた通信システムを示す図である。
【図３】第３実施の形態に係る迷走電流制御装置を設けた通信システムを示す図である。
【図４】第４実施の形態に係る迷走電流制御装置を設けた通信システムを示す図である。
【図５】図１に示した通信システムの等価回路を示す図である。
【図６】図５において可変直流電源１０２から出力される電圧Ｖとシールド線３２を流れる迷走電流の電流値Ｉとの関係を示す図である。
【図７】迷走電流の発生メカニズムを示す図である。
【発明を実施するための形態】
【００２０】
以下、本発明の実施の形態について図面を参照して説明する。
【００２１】
[第１の実施の形態]
図１は、第１実施の形態に係る迷走電流制御装置を設けた通信システムを示す図である。
【００２２】
通信システムは、第１通信装置１と第２通信装置２とを含み、第１通信装置１は、通信のための回路（以下、第１回路）１０を含み、第２通信装置２は、通信のための回路（以下、第２回路）２０を含む。
【００２３】
第１通信装置１と第２通信装置２との間には通信線３が設けられている。通信線３は、ここでは、同軸ケーブルであり、第１回路１０と第２回路２０の間に接続された信号線３１と、信号線３１の全長に渡ってその周囲を囲む被覆内に設けられたシールド線３２とを有する。通信線３は、その両端に設けられたコネクタ（図示せず）により、第１通信装置１および第２通信装置２に対し、着脱可能になっている。通信線３が同軸ケーブルの場合、信号線３１は１本の電線であり、他方、通信線３がＬＡＮケーブルやモジュラーケーブルの場合、信号線３１は複数の電線からなるものである。
【００２４】
シールド線３２の一方端は、第１通信装置１の金属筐体１１に接続され、シールド線３２の他方端は、第２通信装置２の金属筐体２１に接続されている。
【００２５】
第１回路１０のグラウンド節点１２に対し、第１通信装置１のグラウンド端子１３、直流分電盤（以下、第１直流分電盤という）４のグラウンド端子４１などの導体からなる導体群（以下、第１導体群という）を介して、直流電源（以下、第１直流電源という）５のグラウンド節点５１が接続されている。第１導体群には、グラウンド端子１３、４１を接続する導線、グラウンド端子４１とグラウンド節点５１を接続する導線が含まれる。グラウンド端子１３は、金属筐体１１に接続されている。グラウンド端子１３、グラウンド端子４１は、露出されているか又は露出可能になっている。
【００２６】
第１回路１０の電源入力節点１４に対し、第１直流分電盤４の電源端子４２などの導体からなる導体群（以下、第２導体群という）を介して、第１直流電源５の出力節点５２が接続されている。第２導体群には、電源入力節点１４と電源端子４２を接続する導線、電源端子４２と出力節点５２を接続する導線が含まれる。
【００２７】
第２回路２０のグラウンド節点２２に対し、第２通信装置２のグラウンド端子２３、直流分電盤（以下、第２直流分電盤という）６のグラウンド端子６１などの導体からなる導体群（以下、第３導体群という）を介して、直流電源（以下、第２直流電源という）７のグラウンド節点７１が接続されている。第３導体群には、グラウンド端子２３、６１を接続する導線、グラウンド端子６１とグラウンド節点７１を接続する導線が含まれる。グラウンド端子２３は、金属筐体２１に接続されている。グラウンド端子２３、グラウンド端子６１は、露出されているか又は露出可能になっている。
【００２８】
第２回路２０の電源入力節点２４に対し、第２直流分電盤６の電源端子６２などの導体からなる導体群（以下、第４導体群という）を介して、第２直流電源７の出力節点７２が接続されている。第４導体群には、電源入力節点２４と電源端子６２を接続する導線、電源端子６２と出力節点７２を接続する導線が含まれる。
【００２９】
シールド線３２は、上記のように、第１回路１０のグラウンド節点１２と第２回路２０のグラウンド節点２２とを導通させるように設けられている。
【００３０】
第１直流電源５のグラウンド節点５１は、接地端子８、９などからなる導体群を介して第２直流電源７のグラウンド節点７１に接続されている。かかる導体群には、グラウンド節点５１と接地端子８を接続する導線、接地端子８、９を接続する接地母線Ｇ、グラウンド節点７１と接地端子９を接続する導線が含まれる。
【００３１】
迷走電流制御装置１００は、第１導体群の中の露出された又は露出可能な１導体であるグラウンド端子４１と第３導体群の中の露出された又は露出可能な１導体であるグラウンド端子６１との間に接続される直列回路１０１を備え、直列回路１０１は、電圧を可変可能な可変直流電源の出力回路（以下、便宜的に可変直流電源という）１０２と可変抵抗１０３とを直列接続したものである。
【００３２】
（第１の実施の形態における迷走電流制御方法）
次に、第１の実施の形態における迷走電流制御方法について説明する。
【００３３】
第１工程では、作業者が電流計（図示せず）をシールド線３２に取り付け、例えば、シールド線に流れる不要な迷走電流の電流値と方向（第１通信装置１から第２通信装置２の方向に流れるかその逆方向か）を電流計によって認識する。
【００３４】
次に、第２工程では、作業者が、グラウンド端子４１とグラウンド端子６１との間に電圧計（図示せず）を取り付け、グラウンド端子４１とグラウンド端子６１との間の電圧を測定する。
【００３５】
次に、第３工程では、作業者が、可変直流電源１０２から電圧を出力させ、当該電圧を第２工程で測定した電圧に等しくする。
【００３６】
次に、第４工程では、作業者が、直列回路１０１をグラウンド端子４１とグラウンド端子６１との間に接続する。この接続あたっては、可変抵抗１０３の抵抗値を可能な限り大きく（例えば、１０ｋΩ以上）しておくのが好ましい。こうすることで、接続により発生する電流やアークを可能な限り小さくできる。
【００３７】
次に、第５工程では、作業者が、可変抵抗１０３の抵抗値を、例えば、１分程度の時間をかけて小さくし、例えば、抵抗値を０にする。
【００３８】
次に、第６工程では、作業者が、電流計により示される電流値が小さくなるように可変直流電源１０２の電圧を変化させる。ここでは、電流値が急激に変化しないように、電圧をゆっくり変化させ、電流値を０にするのが好ましい。電流値が０になると、グラウンド端子１３の電位Ｖ１とグラウンド端子２３の電位Ｖ２は等しくなる。
【００３９】
次に、第７工程では、作業者が、例えば、電流計とともに通信線３のコネクタを抜き、通信線３を第１通信装置１と第２通信装置２とから切り離す。このとき、迷走電流の電流値は小さくなっており、または、０になっており、よって、通信線３を切り離す際の放電を小さく、または、なくすことができる。
【００４０】
次に、第８工程では、作業者が、可変抵抗１０３の抵抗値を、例えば、１分程度の時間をかけて大きくし、例えば、抵抗値を１０ｋΩ以上とする。
【００４１】
次に、第９工程では、作業者が、可変直流電源１０２からの電圧出力を停止させる。
【００４２】
次に、第１０工程では、作業者が、直列回路１０１をグラウンド端子４１とグラウンド端子６１から取り外す。
【００４３】
したがって、第１の実施の形態に係る迷走電流制御装置および迷走電流制御方法によれば、露出された又は露出可能なグラウンド端子４１とグラウンド端子６１とに間に直列回路１０１を接続し迷走電流を低減させるようにしたので、予め通信線３のコネクタなどに迷走電流を低減させるための抵抗を設けておく必要がなく、かかる抵抗のない通信線３を取り外す際であっても、迷走電流による放電を小さくすることができる。
【００４４】
[第２の実施の形態]
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００４５】
図２は、第２実施の形態に係る迷走電流制御装置を設けた通信システムを示す図である。
【００４６】
通信システムは、第１通信装置１と第２通信装置２とを含み、第１通信装置１は、第１回路１０を含み、第２通信装置２は、第２回路２０を含む。
【００４７】
第１通信装置１と第２通信装置２との間には通信線３が設けられている。通信線３は、ここでは、同軸ケーブルであり、信号線３１とシールド線３２とを有する。通信線３は、コネクタ（図示せず）により、第１通信装置１および第２通信装置２に対し、着脱可能になっている。
【００４８】
シールド線３２の一方端は、第１通信装置１の金属筐体１１に接続され、シールド線３２の他方端は、第２通信装置２の金属筐体２１に接続されている。
【００４９】
第１回路１０のグラウンド節点１２に対し、第１通信装置１のグラウンド端子１３、第１直流分電盤４のグラウンド端子４１などの導体からなる第１導体群を介して、第１直流電源５のグラウンド節点５１が接続されている。グラウンド端子１３は、金属筐体１１に接続されている。グラウンド端子１３、グラウンド端子４１は、露出されているか又は露出可能になっている。
【００５０】
第１回路１０の電源入力節点１４に対し、第１直流分電盤４の電源端子４２などの導体からなる第２導体群を介して、第１直流電源５の出力節点５２が接続されている。
【００５１】
第２回路２０のグラウンド節点２２に対し、第２通信装置２のグラウンド端子２３、第２直流分電盤６のグラウンド端子６１などの導体からなる第３導体群を介して、第２直流電源７のグラウンド節点７１が接続されている。グラウンド端子２３は、金属筐体２１に接続されている。グラウンド端子２３、グラウンド端子６１は、露出されているか又は露出可能になっている。
【００５２】
第２回路２０の電源入力節点２４に対し、第２直流分電盤６の電源端子６２などの導体からなる第４導体群を介して、第２直流電源７の出力節点７２が接続されている。
【００５３】
第１直流電源５のグラウンド節点５１は、接地端子８、９などからなる導体群を介して第２直流電源７のグラウンド節点７１に接続されている。
【００５４】
迷走電流制御装置１００は、第１導体群の中の露出された又は露出可能な１導体であるグラウンド端子１３と第３導体群の中の露出された又は露出可能な１導体であるグラウンド端子２３との間に接続される直列回路１０１を備え、直列回路１０１は、可変直流電源１０２と可変抵抗１０３とを直列接続したものである。
【００５５】
第２の実施の形態における迷走電流制御方法は、第１の実施の形態における迷走電流制御方法とほぼ同じで、直列回路１０１の接続箇所が違うだけなので、説明を省略する。
【００５６】
したがって、第２の実施の形態に係る迷走電流制御装置および迷走電流制御方法によれば、露出された又は露出可能なグラウンド端子１３とグラウンド端子２３とに間に直列回路１０１を接続し迷走電流を低減させるようにしたので、予め通信線３のコネクタなどに迷走電流を低減させるための抵抗を設けておく必要がなく、かかる抵抗のない通信線３を取り外す際であっても、迷走電流による放電を小さくすることができる。
【００５７】
[第３の実施の形態]
次に、本発明の第３の実施の形態について説明する。第３の実施の形態では、第１、第２の実施の形態に同一または類似の装置および装置構成を用い、同一または類似のものについては第１、第２の実施の形態で使用した符号を使用して重複説明を略し、第１、第２の実施の形態とは異なる事項を中心に説明を行う。
【００５８】
図３は、第３実施の形態に係る迷走電流制御装置を設けた通信システムを示す図である。
【００５９】
通信システムは、第１通信装置１と第２通信装置２とを含み、第１通信装置１は、第１回路１０を含み、第２通信装置２は、第２回路２０を含む。
【００６０】
第１通信装置１と第２通信装置２との間には通信線３が設けられている。通信線３は、ここでは、同軸ケーブルであり、信号線３１とシールド線３２とを有する。通信線３は、コネクタ（図示せず）により、第１通信装置１および第２通信装置２に対し、着脱可能になっている。
【００６１】
シールド線３２の一方端は、第１通信装置１の金属筐体１１に接続され、シールド線３２の他方端は、第２通信装置２の金属筐体２１に接続されている。
【００６２】
第１回路１０のグラウンド節点１２に対し、第１通信装置１のグラウンド端子１３、第１直流分電盤４のグラウンド端子４１などの導体からなる第１導体群を介して、第１直流電源５のグラウンド節点５１が接続されている。グラウンド端子１３は、金属筐体１１に接続されている。グラウンド端子１３、グラウンド端子４１は、露出されているか又は露出可能になっている。
【００６３】
第１回路１０の電源入力節点１４に対し、第１直流分電盤４の電源端子４２などの導体からなる第２導体群を介して、第１直流電源５の出力節点５２が接続されている。電源端子４２は、露出されているか又は露出可能になっている。
【００６４】
第２回路２０のグラウンド節点２２に対し、第２通信装置２のグラウンド端子２３、第２直流分電盤６のグラウンド端子６１などの導体からなる第３導体群を介して、第２直流電源７のグラウンド節点７１が接続されている。グラウンド端子２３は、金属筐体２１に接続されている。グラウンド端子２３、グラウンド端子６１は、露出されているか又は露出可能になっている。
【００６５】
第２回路２０の電源入力節点２４に対し、第２直流分電盤６の電源端子６２などの導体からなる第４導体群を介して、第２直流電源７の出力節点７２が接続されている。電源端子６２は、露出されているか又は露出可能になっている。
【００６６】
第１直流電源５のグラウンド節点５１は、接地端子８、９などからなる導体群を介して第２直流電源７のグラウンド節点７１に接続されている。
【００６７】
迷走電流制御装置２００は、第１導体群の中の露出された又は露出可能な１導体であるグラウンド端子４１と第２導体群の中の露出された又は露出可能な１導体である電源端子４２との間に接続される可変抵抗２０１と備える。
【００６８】
（第３の実施の形態における迷走電流制御方法）
次に、第３の実施の形態における迷走電流制御方法について説明する。
【００６９】
第１工程では、作業者が電流計（図示せず）をシールド線３２に取り付け、例えば、シールド線に流れる不要な迷走電流の電流値と方向を電流計によって認識する。
【００７０】
次に、第２工程では、作業者が、可変抵抗２０１をグラウンド端子４１と電源端子４２との間に接続する。この接続あたっては、可変抵抗２０１の抵抗値を可能な限り大きく（例えば、１０ｋΩ以上）しておくのが好ましい。こうすることで、接続により発生する電流やアークを可能な限り小さくできる。
【００７１】
次に、第３工程では、作業者が、電流計により示される電流値が小さくなるように可変抵抗２０１の抵抗値を変化させる。ここでは、電流値が急激に変化しないように、抵抗値をゆっくり変化させ、電流値を０にするのが好ましい。電流値が０になると、グラウンド端子１３の電位Ｖ１とグラウンド端子２３の電位Ｖ２は等しくなる。
【００７２】
次に、第４工程では、作業者が、例えば、電流計とともに通信線３のコネクタを抜き、通信線３を第１通信装置１と第２通信装置２とから切り離す。このとき、迷走電流の電流値は小さくなっており、または、０になっており、よって、通信線３を切り離す際の放電を小さく、または、なくすことができる。
【００７３】
次に、第５工程では、作業者が、可変抵抗２０１の抵抗値を、例えば、１分程度の時間をかけて大きくし、例えば、抵抗値を１０ｋΩ以上とする。
【００７４】
次に、第６工程では、作業者が、可変抵抗２０１をグラウンド端子４１と電源端子４２から取り外す。
【００７５】
したがって、第３の実施の形態に係る迷走電流制御装置および迷走電流制御方法によれば、露出された又は露出可能なグラウンド端子４１と電源端子４２とに間に可変抵抗２０１を接続し迷走電流を低減させるようにしたので、予め通信線３のコネクタなどに迷走電流を低減させるための抵抗を設けておく必要がなく、かかる抵抗のない通信線３を取り外す際であっても、迷走電流による放電を小さくすることができる。また、可変直流電源１０２が必要なく、簡易に実施できる。
【００７６】
[第４の実施の形態]
次に、本発明の第４の実施の形態について説明する。第４の実施の形態では、第３の実施の形態に同一または類似の装置および装置構成を用い、同一または類似のものについては第３の実施の形態で使用した符号を使用して重複説明を略し、第３の実施の形態とは異なる事項を中心に説明を行う。
【００７７】
図４は、第４実施の形態に係る迷走電流制御装置を設けた通信システムを示す図である。
【００７８】
通信システムは、第１通信装置１と第２通信装置２とを含み、第１通信装置１は、第１回路１０を含み、第２通信装置２は、第２回路２０を含む。
【００７９】
第１通信装置１と第２通信装置２との間には通信線３が設けられている。通信線３は、ここでは、同軸ケーブルであり、信号線３１とシールド線３２とを有する。通信線３は、コネクタ（図示せず）により、第１通信装置１および第２通信装置２に対し、着脱可能になっている。
【００８０】
シールド線３２の一方端は、第１通信装置１の金属筐体１１に接続され、シールド線３２の他方端は、第２通信装置２の金属筐体２１に接続されている。
【００８１】
第１回路１０のグラウンド節点１２に対し、第１通信装置１のグラウンド端子１３、第１直流分電盤４のグラウンド端子４１などの導体からなる第１導体群を介して、第１直流電源５のグラウンド節点５１が接続されている。グラウンド端子１３は、金属筐体１１に接続されている。グラウンド端子１３、グラウンド端子４１は、露出されているか又は露出可能になっている。
【００８２】
第１回路１０の電源入力節点１４に対し、第１通信装置１の電源入力端子１５、第１直流分電盤４の電源端子４２などの導体からなる第２導体群を介して、第１直流電源５の出力節点５２が接続されている。電源入力端子１５、電源端子４２は、露出されているか又は露出可能になっている。
【００８３】
第２回路２０のグラウンド節点２２に対し、第２通信装置２のグラウンド端子２３、第２直流分電盤６のグラウンド端子６１などの導体からなる第３導体群を介して、第２直流電源７のグラウンド節点７１が接続されている。グラウンド端子２３は、金属筐体２１に接続されている。
【００８４】
第２回路２０の電源入力節点２４に対し、第２通信装置２の電源入力端子２５、第２直流分電盤６の電源端子６２などの導体からなる第４導体群を介して、第２直流電源７の出力節点７２が接続されている。
【００８５】
第１直流電源５のグラウンド節点５１は、接地端子８、９などからなる導体群を介して第２直流電源７のグラウンド節点７１に接続されている。
【００８６】
迷走電流制御装置２００は、第１導体群の中の露出された又は露出可能な１導体であるグラウンド端子１３と第２導体群の中の露出された又は露出可能な１導体である電源入力端子１５との間に接続される可変抵抗２０１と備える。
【００８７】
第４の実施の形態における迷走電流制御方法は、第３の実施の形態における迷走電流制御方法とほぼ同じで、可変抵抗２０１の接続箇所が違うだけなので、説明を省略する。
【００８８】
したがって、第４の実施の形態に係る迷走電流制御装置および迷走電流制御方法によれば、露出された又は露出可能なグラウンド端子１３と電源入力端子１５とに間に可変抵抗２０１を接続し迷走電流を低減させるようにしたので、予め通信線３のコネクタなどに迷走電流を低減させるための抵抗を設けておく必要がなく、かかる抵抗のない通信線３を取り外す際であっても、迷走電流による放電を小さくすることができる。
【００８９】
なお、可変抵抗２０１を、グラウンド端子１３と電源入力端子１５とに間でなく、グラウンド端子２３と電源入力端子２５とに間に接続してもよい。
【００９０】
図５は、図１に示した通信システムの等価回路を示す図である。
【００９１】
グラウンド端子１３と電源入力端子１５の間の抵抗つまり第１回路１０の内部抵抗は１．０Ω、グラウンド節点５１とグラウンド端子４１の間の抵抗は１ｍΩ、グラウンド端子４１とグラウンド端子１３の間の抵抗は２５ｍΩ、出力節点５２と電源端子４２の間の抵抗は１ｍΩ、電源端子４２と電源入力端子１５の間の抵抗は２５ｍΩである。
【００９２】
グラウンド端子２３と電源入力端子２５の間の抵抗つまり第２回路２０の内部抵抗は１．０Ω、グラウンド節点７１とグラウンド端子６１の間の抵抗は１ｍΩ、グラウンド端子６１とグラウンド端子２３の間の抵抗は２５ｍΩ、出力節点５２と電源端子４２の間の抵抗は１ｍΩ、電源端子４２と電源入力端子２５の間の抵抗は２５ｍΩである。
【００９３】
シールド線３２の内部抵抗は１００ｍΩである。
【００９４】
図６は、図５において可変直流電源１０２から出力される電圧Ｖとシールド線３２を流れる迷走電流の電流値Ｉとの関係を示す図である。
【００９５】
図６に示すように、電圧Ｖを変化させると電流値Ｉが変化する。図５の回路の場合、電圧Ｖを０．３７５Ｖにすると電流値Ｉが０になる。つまり、電圧Ｖを調整することで、迷走電流を低減させ、グラウンド端子１３の電位Ｖ１とグラウンド端子２３の電位Ｖ２を等しくして、迷走電流を無くすことができる。
【００９６】
したがって、各実施の形態に係る迷走電流制御装置および迷走電流制御方法によれば、予め通信線３のコネクタなどに迷走電流を低減させるための抵抗を設けておく必要がなく、かかる抵抗のない通信線３を取り外す際であっても、迷走電流による放電を小さくすることができる。
【符号の説明】
【００９７】
１…第１通信装置
２…第２通信装置
３…通信線
４…第１直流分電盤
５…第１直流電源
６…第２直流分電盤
７…第２直流電源
８、９…接地端子
Ｇ…接地母線
１０…第１通信装置１の第１回路
１１…第１通信装置１の金属筐体
１２…第１回路１０のグラウンド節点
１３…第１通信装置１のグラウンド端子
１４…第１回路１０の電源入力節点
１５…第１通信装置１の電源入力端子
２０…第２通信装置２の第２回路
２１…第２通信装置２の金属筐体
２２…第２回路２のグラウンド節点
２３…第２通信装置２のグラウンド端子
２４…第２回路２の電源入力節点
２５…第２通信装置２の電源入力端子
３１…通信線３の信号線
３２…通信線３のシールド線
４１…第１直流分電盤４のグラウンド端子
４２…第１直流分電盤４の電源端子
５１…第１直流電源５のグラウンド節点
５２…第１直流電源５の出力節点
６１…第２直流分電盤６のグラウンド端子
６２…第２直流分電盤６の電源端子
７１…第２直流電源７のグラウンド節点
７２…第２直流電源７の出力節点
１００…迷走電流制御装置
１０１…迷走電流制御装置１００の直列回路
１０２…直列回路１０１の可変直流電源
１０３…直列回路１０１の可変抵抗
２００…迷走電流制御装置
２０１…迷走電流制御装置２００の可変抵抗
Ｉ…迷走電流の電流値
Ｖ…可変直流電源１０２から出力される電圧
Ｖ１…グラウンド端子１３の電位
Ｖ２…グラウンド端子２３の電位
【図１】
2013105833.tif 000003
【図２】
2013105833.tif 000004
【図３】
2013105833.tif 000005
【図４】
2013105833.tif 000006
【図５】
2013105833.tif 000007
【図６】
2013105833.tif 000008
【図７】
2013105833.tif 000009